(57)【特許請求の範囲】
【請求項１】
Ｒ２９０を含む冷媒が圧縮機、第１熱交換器、第１減圧装置、および第２熱交換器の第１循環方向に循環する冷凍サイクル装置であって、
前記圧縮機の周囲に配置され、前記圧縮機からの熱を受ける蓄熱材と、
前記第２熱交換器からの前記冷媒を前記圧縮機に導くための、第１流路および第２流路を形成可能な第１流路切替部と、
前記第１熱交換器からの前記冷媒と前記第１流路からの前記冷媒との間で熱交換
が行なわれる第３熱交換器とを備え、
前記第１流路が形成されている場合、前記第１流路から流出する前記冷媒は、前記蓄熱材を経由せずに前記圧縮機に至り、
前記第２流路が形成されている場合、前記第２流路から流出する前記冷媒は、前記蓄熱材を経由して前記圧縮機に至る、冷凍サイクル装置。
【請求項２】
前記第１流路切替部を制御する制御装置をさらに備え、
前記制御装置は、
特定条件が成立する場合、前記第１流路切替部を制御して前記第１流路を閉止するとともに前記第２流路を開放し、
前記特定条件が成立しない場合、前記第１流路切替部を制御して前記第１流路を開放するとともに前記第２流路を閉止し、
前記特定条件は、前記蓄熱材の温度が基準温度よりも高いという条件を含む、請求項１に記載の冷凍サイクル装置。
【請求項３】
前記第１流路切替部を制御する制御装置をさらに備え、
前記制御装置は、
特定条件が成立する場合、前記第２流路を通過する単位時間当たりの前記冷媒の量が前記第１流路を通過する単位時間当たりの前記冷媒の量よりも多くなるように前記第１流路切替部を制御し、
前記特定条件が成立しない場合、前記第１流路を通過する単位時間当たりの前記冷媒の量が前記第２流路を通過する単位時間当たりの前記冷媒の量よりも多くなるように前記第１流路切替部を制御し、
前記特定条件は、前記第３熱交換器における熱交換量が基準量よりも小さいことを示す条件を含む、請求項１に記載の冷凍サイクル装置。
【請求項４】
前記第３熱交換器における熱交換量が基準量よりも小さいことを示す条件は、前記第１熱交換器および前記第３熱交換器の間を流れる前記冷媒の温度と前記第３熱交換器および前記第１減圧装置の間を流れる前記冷媒の温度との差が基準値よりも小さいという条件を含む、請求項３に記載の冷凍サイクル装置。
【請求項５】
前記第１熱交換器は、室外に配置され、
前記第３熱交換器における熱交換量が基準量よりも小さいことを示す条件は、前記第１熱交換器を通過する前記冷媒の飽和液の第１温度および室外温度の差に対する前記第１温度および前記第３熱交換器から流出する前記冷媒の温度の差の比率が、基準比率より大きいという条件を含む、請求項３に記載の冷凍サイクル装置。
【請求項６】
前記第１熱交換器は、室外に配置され、
前記第３熱交換器における熱交換量が基準量よりも小さいことを示す条件は、前記第１熱交換器を通過する前記冷媒の飽和液の第１エンタルピおよび室外温度における液体の前記冷媒の第２エンタルピの差に対する前記第１エンタルピおよび前記第３熱交換器から流出する前記冷媒の第３エンタルピの差の比率が、基準比率より大きいという条件を含む、請求項３に記載の冷凍サイクル装置。
【請求項７】
前記特定条件は、前記蓄熱材の温度が基準温度よりも高いという条件をさらに含む、請求項３〜６のいずれか１項に記載の冷凍サイクル装置。
【請求項８】
前記冷媒の循環方向を、前記第１循環方向および前記第１循環方向とは逆の第２循環方向の間で切り替える第２流路切替部と、
前記第１熱交換器と前記第３熱交換器との間に接続された第２減圧装置とをさらに備え、
前記冷媒の循環方向が前記第１循環方向である場合、前記制御装置は、前記第２減圧装置の開度を全開とし、
前記冷媒の循環方向が前記第２循環方向である場合、前記制御装置は、前記第１減圧装置を全開とする、請求項３に記載の冷凍サイクル装置。
【請求項９】
前記冷媒の循環方向を、前記第１循環方向および前記第１循環方向とは逆の第２循環方向の間で切り替える第２流路切替部と、
前記第１熱交換器と前記第３熱交換器との間に接続された第２減圧装置と、
前記第２熱交換器と前記第３熱交換器との間で前記第１減圧装置に対して並列に接続された第１逆止弁と、
前記第１熱交換器と前記第３熱交換器との間で前記第２減圧装置に対して並列に接続された第２逆止弁とをさらに備え、
前記第１逆止弁の順方向は、前記第２熱交換器から前記第３熱交換器へ向かう方向であり、
前記第２逆止弁の順方向は、前記第１熱交換器から前記第３熱交換器へ向かう方向であり、
前記冷媒の循環方向が前記第１循環方向である場合、前記制御装置は、前記第２減圧装置を閉止し、
前記冷媒の循環方向が前記第２循環方向である場合、前記制御装置は、前記第１減圧装置を閉止する、請求項３に記載の冷凍サイクル装置。
【請求項１０】
Ｒ２９０を含む冷媒が圧縮機、第１熱交換器、第１減圧装置、および第２熱交換器の第１循環方向に循環する冷凍サイクル装置であって、
前記圧縮機の周囲に配置され、前記圧縮機からの熱を受ける蓄熱材と、
前記第２熱交換器からの前記冷媒を前記圧縮機に導くための、第１流路および第２流路を形成可能な第１流路切替部と、
前記圧縮機からの前記冷媒と前記第１流路からの前記冷媒との間で熱交換が行なわれる第３熱交換器と、
前記第３熱交換器と前記第１減圧装置および前記第１熱交換器の間の流路との間に接続された第２減圧装置とを備え、
前記第１流路が形成されている場合、前記第１流路から流出する前記冷媒は、前記蓄熱材を経由せずに前記圧縮機に至り、
前記第２流路が形成されている場合、前記第２流路から流出する前記冷媒は、前記蓄熱材を経由して前記圧縮機に至る、冷凍サイクル装置。
【請求項１１】
前記第１流路切替部を制御する制御装置をさらに備え、
前記制御装置は、
特定条件が成立する場合、前記第１流路を通過する単位時間当たりの前記冷媒の量を減少させるとともに前記第２流路を開放し、
前記特定条件が成立しない場合、前記第１流路を通過する単位時間当たりの前記冷媒の量を増加させるとともに前記第２流路を閉止し、
前記特定条件は、前記第３熱交換器における熱交換量が基準量よりも小さいことを示す条件を含む、請求項１０に記載の冷凍サイクル装置。
【発明の詳細な説明】
【技術分野】
【０００１】
本発明は、圧縮機の周囲に蓄熱材が形成された冷凍サイクル装置に関する。
【背景技術】
【０００２】
従来、圧縮機の周囲に蓄熱材が形成された冷凍サイクル装置が知られている。たとえば、国際公開第２０１３／０６５２３３号（特許文献１）には、圧縮機の周囲に蓄熱材が形成された冷凍サイクル装置が開示されている。当該冷凍サイクル装置では、除霜運転において、室外熱交換器からの冷媒を圧縮機の周囲に形成された蓄熱材を経由させて圧縮機の吸入口へ導く流路が形成される。当該冷凍サイクル装置によれば、除霜時間を短縮し、除霜運転による室温の低下を抑制して快適性を向上させることができる。
【先行技術文献】
【特許文献】
【０００３】
【特許文献１】国際公開第２０１３／０６５２３３号
【発明の概要】
【発明が解決しようとする課題】
【０００４】
近年、地球温暖化防止の観点から、ＧＷＰ（地球温暖化係数：Global  Warming  Potential）のより低い冷媒が求められている。従来よりもＧＷＰを低減可能な冷媒には、たとえばＲ２９０（プロパン）のように、圧縮機に吸入される冷媒の過熱度が大きいほど、冷凍サイクル装置の理論ＣＯＰ（Coefficient  of  Performance）が向上する冷媒がある。しかし、圧縮機に吸入される冷媒の過熱度を大きくするために蒸発器から流出する冷媒の温度を上昇させると、蒸発器の性能が低下することが知られている。【０００５】
特許文献１においては、通常の暖房運転において蒸発器から流出する冷媒の温度を抑制することについては考慮されていない。特許文献１に開示されている冷凍サイクル装置にＲ２９０を使用した場合、冷凍サイクル装置の性能が低下し得る。【０００６】
本発明は、上述のような課題を解決するためになされたものであり、その目的は、ＧＷＰを低減しながら、冷凍サイクル装置の性能低下を抑制することである。
【課題を解決するための手段】
【０００７】
本発明に係る冷凍サイクル装置においては、Ｒ２９０を含む冷媒が圧縮機、第１熱交換器、第１減圧装置、および第２熱交換器の第１循環方向に循環する。冷凍サイクル装置は、蓄熱材と、第１流路切替部とを備える。蓄熱材は、圧縮機の周囲に配置され、圧縮機からの熱を受ける。第１流路切替部は、第２熱交換器からの冷媒を圧縮機に導くための、第１流路および第２流路を形成可能である。第１流路が形成されている場合、第１流路から流出する冷媒は、蓄熱材を経由せずに圧縮機に至る。第２流路が形成されている場合、第２流路から流出する冷媒は、蓄熱材を経由して圧縮機に至る。
【発明の効果】
【０００８】
本発明に係る冷凍サイクル装置によれば、Ｒ２９０を含む冷媒が使用されるとともに、第２熱交換器からの冷媒が蓄熱材を経由して圧縮機に至るように流路を形成可能なため、ＧＷＰを低減しながら、冷凍サイクル装置の性能低下を抑制することができる。
【図面の簡単な説明】
【０００９】
【図１】実施の形態１に係る冷凍サイクル装置の構成を示す機能ブロック図である。
【図２】図１の蓄熱材を圧縮機１の側面の法線方向から平面視した図である。
【図３】図１の蓄熱材の内部に形成された流路の一例を示す図である。
【図４】図１の蓄熱材の内部に形成された流路の多の例を示す図である。
【図５】圧縮機に吸入される冷媒の過熱度と理論ＣＯＰとの関係を示す図である。
【図６】比較例に係る冷凍サイクル装置の低負荷での冷房運転におけるエンタルピ、圧力、および温度の関係を示すｐ−ｈ線図である。
【図７】図１の制御装置によって行なわれる流路切替部に対する処理の流れを示すフローチャートである。
【図８】図１の流路切替部の具体的な構成を示す図である。
【図９】図１の流路切替部の他の例の具体的な構成を示す図である。
【図１０】図１の蓄熱材の一例を示す図である。
【図１１】図１の蓄熱材の他の例を示す図である。
【図１２】実施の形態２に係る冷凍サイクル装置の構成を示す機能ブロック図である。
【図１３】図１２の制御装置によって冷房運転において行なわれる流路切換部に対する処理の流れを示すフローチャートである。
【図１４】実施の形態２の変形例に係る冷凍サイクル装置において冷房運転が行なわれている場合のエンタルピ、圧力、および温度の関係を示すｐ−ｈ線図である。
【図１５】実施の形態３に係る冷凍サイクル装置の構成を示す機能ブロック図である。
【図１６】図１５の制御装置によって暖房運転において行なわれる流路切換部に対する処理の流れを示すフローチャートである。
【図１７】実施の形態３の変形例１に係る冷凍サイクル装置の構成を示す機能ブロック図である。
【図１８】実施の形態３の変形例２に係る冷凍サイクル装置の構成を示す機能ブロック図である。
【発明を実施するための形態】
【００１０】
以下、本発明の実施の形態について、図面を参照しながら詳細に説明する。なお、図中同一または相当部分には同一符号を付してその説明は原則として繰り返さない。
【００１１】
実施の形態１．
図１は、実施の形態１に係る冷凍サイクル装置１００の構成を示す機能ブロック図である。図１に示されるように、冷凍サイクル装置１００は、室外機１１０と、室内機１２０とを備える。室外機１１０は、圧縮機１と、四方弁２（第２流路切替部）と、室外熱交換器３（第１熱交換器）と、電磁膨張弁３１（第１減圧装置）と、流路切替部２０（第１流路切替部）と、室外ファン４１と、制御装置９０と、温度センサ１１〜１５とを含む。室内機１２０は、室内熱交換器４（第２熱交換器）と、室内ファン４２と、温度センサ１６〜１８とを含む。制御装置９０は、室内機１２０に含まれていてもよいし、室外機１１０および室内機１２０とは別個に設けられていてもよい。
【００１２】
冷凍サイクル装置１００は、室内機１２０が配置されている空間に対して冷房運転および暖房運転が可能である。冷凍サイクル装置１００においては、冷媒としてＲ２９０が使用される。
【００１３】
冷房運転において四方弁２は、圧縮機１の吐出口Ｐｄと室外熱交換器３とを連通させるとともに、室内熱交換器４と流路切替部２０とを連通させる。冷房運転において冷媒は、圧縮機１の吐出口Ｐｄ、四方弁２、室外熱交換器３、電磁膨張弁３１、室内熱交換器４、四方弁２、流路切替部２０、および圧縮機１の吸入口Ｐｓの順に循環する。
【００１４】
暖房運転において四方弁２は、圧縮機１の吐出口Ｐｄと室内熱交換器４とを連通させるとともに、室外熱交換器３と流路切替部２０とを連通させる。暖房運転において冷媒は、圧縮機１の吐出口Ｐｄ、四方弁２、室内熱交換器４、電磁膨張弁３１、室外熱交換器３、四方弁２、流路切替部２０、および圧縮機１の吸入口Ｐｓの順に循環する。
【００１５】
図１とともに図２も併せて参照しながら、圧縮機１の周囲には、圧縮機１からの熱を受ける蓄熱材１０が配置されている。蓄熱材１０は、吸入口Ｐｓが形成されている部分を除いて、圧縮機１の側面を覆っている。圧縮機１と蓄熱材１０との間には、蓄熱材１０と冷媒との熱交換を促進するため、熱伝導性の高い、金属、グリス、あるいはジェル状シート等が設けられてもよい。蓄熱材１０の外周部をベルト等で締めて圧縮機１に密着させることによって、蓄熱材１０と冷媒との熱交換を促進してもよい。
【００１６】
流路切替部２０は、流路ＦＰ１（第１流路）および流路ＦＰ２（第２流路）を形成可能である。流路ＦＰ１およびＦＰ２の少なくとも一方は開放されている。流路ＦＰ１から流出する冷媒は、蓄熱材１０を経由せずに圧縮機１の吸入口Ｐｓに至る。流路ＦＰ２から流出する冷媒は、蓄熱材１０を経由して圧縮機１の吸入口Ｐｓに至る。蓄熱材１０内の流路は、図３に示されるように蛇行するように形成されてもよいし、図４に示されるように複数の流路が並列に形成されてもよい。
【００１７】
再び図１を参照しながら、制御装置９０は、室外熱交換器３と電磁膨張弁３１との間を流れる冷媒の温度Ｔ１１を温度センサ１１から取得する。制御装置９０は、室外熱交換器３を流れる冷媒の温度Ｔ１２を室外熱交換器３の中間部に設置された温度センサ１２から取得する。制御装置９０は、室外機１１０が配置されている室外空間の温度Ｔ１３を温度センサ１３から取得する。
【００１８】
制御装置９０は、蓄熱材１０の温度Ｔ１４を温度センサ１４から取得する。蓄熱材１０が加熱されると蓄熱材１０の内部で対流が生じ、密度が小さい高温の流体が蓄熱材１０の上部に集まる。後に説明するように、温度センサ１４によって計測される温度Ｔ１４は、蓄熱材１０による加熱が可能かどうかの判定に用いられる。温度センサ１４が蓄熱材１０の上部に設置されると、蓄熱材１０全体としては十分な熱が蓄積されていないにも関わらず、蓄熱材１０による加熱が可能と判定され得る。そのため、温度センサ１４によって測定される温度は、できるだけ低温の流体が集まる蓄熱材１０の部分の温度であることが好ましい。温度センサ１４は、蓄熱材１０の上部から蓄熱材の高さの１／３以下の位置に設置されることが好ましい。温度センサ１４は、蓄熱材１０の上部から蓄熱材の高さの１／２以下の位置に設置されることがさらに好ましい。
【００１９】
冷媒は、蓄熱材１０の内部に形成された流路を通過する。そのため、温度センサ１４は、蓄熱材１０の内部の温度を直接計測可能であることが好ましい。蓄熱材１０の内部の温度を直接計測することが困難な場合には、熱伝導率の高い物体（たとえば棒状の金属）の一方端が蓄熱材１０の外部に露出するように当該物体の他方端を蓄熱材１０の内部に挿入し、当該物体の一方端の温度を温度センサ１４によって計測してもよい。
【００２０】
制御装置９０は、吸入口Ｐｓを通過する冷媒の温度Ｔ１５を温度センサ１５から取得する。制御装置９０は、室内熱交換器４と電磁膨張弁３１との間を流れる冷媒の温度Ｔ１６を温度センサ１６から取得する。制御装置９０は、室内熱交換器４を通過する冷媒の温度Ｔ１７を室内熱交換器４の中間部に設置された温度センサ１７から取得する。制御装置９０は、室内機１２０が配置されている室内空間の室内温度Ｔ１８を温度センサ１８から取得する。
【００２１】
制御装置９０は、圧縮機１の駆動周波数を制御することにより、室内温度Ｔ１８が目標温度（たとえばユーザによって設定された温度）となるように圧縮機１が単位時間あたりに吐出する冷媒量を制御する。制御装置９０は、四方弁２を制御して、冷媒の循環方向を切り替える。制御装置９０は、流路切替部２０を制御して、流路ＦＰ１および流路ＦＰ２各々を単位時間当たりに通過する冷媒量を調節する。
【００２２】
制御装置９０は、圧縮機１に吸入される冷媒の過熱度、および凝縮器として機能する熱交換器から流出する冷媒の過冷却度の一方あるいは両方が所望の範囲の値となるように電磁膨張弁３１の開度を制御する。凝縮器として機能する熱交換器は、冷房運転においては室外熱交換器３であり、暖房運転においては室内熱交換器４である。
【００２３】
たとえば、圧縮機１に吸入される冷媒の過熱度を所望の範囲の値とする場合、圧縮機１に吸入される冷媒の温度Ｔ１５と蒸発器として機能する熱交換器を流れる温度（温度Ｔ１２またはＴ１７）との温度差に基づいて電磁膨張弁３１の開度を制御する。蒸発器として機能する熱交換器は、冷房運転においては室内熱交換器４であり、暖房運転においては室外熱交換器３である。凝縮器として機能する熱交換器から流出する冷媒の過冷却度を所望の範囲の値とする場合、凝縮器として機能する熱交換器を流れる冷媒の温度（温度Ｔ１２またはＴ１７）と当該熱交換器から流出する冷媒の温度（温度Ｔ１１またはＴ１６）との温度差に基づいて電磁膨張弁３１の開度を制御する。
【００２４】
制御装置９０は、室外ファン４１および室内ファン４２の単位時間当たりの送風量を制御する。室外ファン４１に関しては、室内の目標温度と室内温度Ｔ１８との温度差から自動的に設定される運転モード(たとえば高速回転の定格モードあるいは低速回転の中間モード)に応じて、各運転モードに対して予め設定された回転速度でファンが駆動される。室内ファン４２に関しては、ユーザによる設定（たとえば弱風モードあるいは強風モード）に応じた回転速度でファンが駆動される。なお、室内ファン４２に関しても、たとえばユーザによって自動モードが選択された場合等、制御装置９０による自動的なファンの回転速度の変更が許容される場合には、室外ファンと同様にファンが駆動されてもよい。
【００２５】
なお、圧縮機１の吐出口Ｐｄを通過する冷媒の温度を検出する温度センサを設置してもよい。当該温度センサの検出結果と予め設定されている目標吐出温度との温度差に基づいて、圧縮機１の駆動周波数、室外ファン４１および室内ファン４２各々の単位時間当たりの送風量、および電磁膨張弁３１の開度が制御されてもよい。
【００２６】
近年、地球温暖化防止の観点から、ＧＷＰ（地球温暖化係数：Global  Warming  Potential）のより低い冷媒が求められている。従来から使用されていた冷媒（たとえばＲ４１０Ａ）よりもＧＷＰを低減可能な冷媒には、たとえばＲ３２あるいはＲ２９０を挙げることができる。
【００２７】
Ｒ３２は、動作圧力が高いため、比較的小型の圧縮機によっても冷凍サイクル装置の冷凍効果を高めることができる。また、Ｒ３２は、毒性を有さない。しかし、Ｒ３２のＧＷＰは、Ｆ−ｇａｓ規制あるいはモントリオール議定書の規制値に対しては不十分である。一方、Ｒ２９０のＧＷＰは、Ｒ３２のＧＷＰよりも低い。Ｒ２９０は、これらの規制に対して有効な冷媒の一つとして知られている。
【００２８】
Ｒ２９０には、Ｒ３２およびＲ４１０Ａと異なり、圧縮機に吸入される冷媒の過熱度が大きいほど冷凍サイクル装置の理論ＣＯＰ（Coefficient  of  Performance）が大きいという特性を有する（図５参照）。しかし、圧縮機に吸入される冷媒の過熱度を大きくするために蒸発器として機能する熱交換器から流出する冷媒の温度を上昇させると、当該熱交換器の性能が低下することが知られている。
【００２９】
また、凝縮器として機能する熱交換器から流出する冷媒の温度と蒸発器として機能する熱交換器から流出する冷媒の温度との温度差がほとんどない場合、圧縮機に吸入される冷媒の過熱度を確保し難くなる。このような状況は、たとえば低負荷での冷房運転に生じ得る。
【００３０】
図６は、比較例に係る冷凍サイクル装置の低負荷での冷房運転におけるエンタルピ、圧力、および温度の関係を示すｐ−ｈ線図である。図６において、曲線ＬＣ，ＧＣは、それぞれ飽和液線、および飽和蒸気線を表す。飽和液線および飽和蒸気線は、臨界点ＣＰにおいて接続されている。後に説明する図１４においても同様である。状態Ｃ１からＣ２の過程は、圧縮機による断熱圧縮過程を示す。状態Ｃ２からＣ３への過程は、凝縮器として機能する熱交換器による凝縮過程を表す。状態Ｃ３からＣ４への過程は、膨張弁による減圧過程を表す。状態Ｃ４からＣ１への過程は、蒸発器として機能する熱交換器による蒸発過程を表す。図６には、室外温度Ｔ１の等温線が示されている。
【００３１】
図６に示されるように、凝縮器として機能する熱交換器から流出する冷媒の状態を表す状態Ｃ３の温度が室外温度Ｔ１に近い場合、減圧過程、および蒸発過程を経て圧縮機に吸入される冷媒の状態を表す状態Ｃ１は、室外温度Ｔ１の等温線上の状態となり得る。低負荷の冷房運転においては、圧縮機に吸入される冷媒の過熱度が想定よりも小さくなり得る。
【００３２】
そこで、冷凍サイクル装置１００においては、圧縮機１に発生した熱を蓄熱材１０に蓄積し、冷媒が当該蓄熱材１０を経由して圧縮機１に吸入されるように流路ＦＰ２を形成する。蓄熱材１０に蓄積された熱を利用することによって、蒸発器として機能する熱交換器から流出する冷媒の温度の上昇を抑制しながら、圧縮機１に吸入される冷媒の過熱度を高めることができる。その結果、蒸発器として機能する熱交換器の性能低下を抑制しながら、ＧＷＰを低減するためにＲ２９０が使用される冷凍サイクル装置１００の理論ＣＯＰを向上させることができる。
【００３３】
図７は、図１の制御装置９０によって行なわれる流路切替部２０に対する処理の流れを示すフローチャートである。図７に示される処理は、冷凍サイクル装置１００の統合的な制御を行なう不図示のメインルーチンによって一定時間間隔毎に呼び出される。なお、以下ではステップを単にＳと記載する。
【００３４】
制御装置９０は、Ｓ１０１において蓄熱材１０の温度Ｔ１４が基準温度Ｔｒ１以上であるという条件（特定条件）が成立するか否かを判定する。蓄熱材１０の温度Ｔ１４が基準温度Ｔｒ１（たとえば３０°）より小さい場合（Ｓ１０１においてＮＯ）、制御装置９０は、Ｓ１０２において流路ＦＰ１を通過する単位時間当たりの冷媒量が流路ＦＰ２を通過する単位時間当たりの冷媒量よりも多くなるように流路切替部２０を制御して処理をメインルーチンに返す。蓄熱材１０の温度Ｔ１４が基準温度Ｔｒ１以上である場合（Ｓ１０１においてＹＥＳ）、制御装置９０は、蒸発器として機能する熱交換器から流出する冷媒を加熱可能な熱が蓄熱材１０に蓄積されているとして、Ｓ１０３において流路ＦＰ２を通過する単位時間当たりの冷媒量が流路ＦＰ１を通過する単位時間当たりの冷媒量よりも多くなるように流路切替部２０を制御して処理をメインルーチンに返す。
【００３５】
なお、蓄熱材１０の温度Ｔ１４が基準温度Ｔｒ１に達する時間を短縮するため、蓄熱材１０の比熱は、水の比熱よりも低いことが好ましい。基準温度Ｔｒ１は、蒸発器として機能する熱交換器から流出する冷媒を加熱可能な熱が蓄熱材１０に蓄積されていることを示す温度であり、実機実験あるいはシミュレーションによって適宜算出することができる。
【００３６】
図８は、図１の流路切替部２０の具体的な構成を示す図である。図８に示されるように、流路切替部２０は、電磁開閉弁２１および２２を含む。電磁開閉弁２１は、流路ＦＰ１に設けられている。電磁開閉弁２１が開放されている場合、冷媒は流路ＦＰ１を通過することができる。電磁開閉弁２１が閉止されている場合、冷媒は流路ＦＰ１を通過することができない。電磁開閉弁２２は、流路ＦＰ２に設けられている。電磁開閉弁２２が開放されている場合、冷媒は流路ＦＰ２を通過することができる。電磁開閉弁２２が閉止されている場合、冷媒は流路ＦＰ２を通過することができない。制御装置９０は、図７のＳ１０２において電磁開閉弁２１を開放するとともに、電磁開閉弁２２を閉止する。制御装置９０は、図７のＳ１０３において電磁開閉弁２１を閉止するとともに、電磁開閉弁２２を開放する。
【００３７】
図９は、図１の流路切替部２０の他の例である流路切替部２０Ａの具体的な構成を示す図である。図９に示されるように、流路切替部２０Ａは、電磁膨張弁２１Ａおよび２２Ａを含む。電磁膨張弁２１Ａは、流路ＦＰ１に設けられている。制御装置９０は、電磁膨張弁２１Ａの開度を調節することにより、流路ＦＰ１を通過する単位時間当たりの冷媒量を調節する。電磁膨張弁２２Ａは、流路ＦＰ２に設けられている。制御装置９０は、電磁膨張弁２２Ａの開度を調節することにより、流路ＦＰ２を通過する単位時間当たりの冷媒量を調節する。
【００３８】
図１の流路切替部２０が流路切替部２０Ａである場合、制御装置９０は、電磁膨張弁２１Ａおよび２２Ａ各々の開度を調節することにより、流路ＦＰ１を通過する単位時間当たりの冷媒量と流路ＦＰ２を通過する単位時間当たりの冷媒量との流量比率を制御する。
【００３９】
冷凍サイクル装置１００によれば、圧縮機１から発生した熱を、蓄熱材１０を介して冷媒の加熱に用いるため、冷凍サイクル装置のエネルギー効率が向上する。また、蓄熱材１０による冷媒の加熱により、暖房運転および低負荷の冷房運転においても圧縮機１に吸入される冷媒の過熱度を大きくすることができる。
【００４０】
圧縮機１の潤滑油への冷媒の溶解量は冷媒の温度が高いほど少ない。圧縮機１に吸入される冷媒の温度が上昇することに伴って圧縮機１から吐出される冷媒の温度も上昇するため、潤滑油への冷媒の溶解量が低下する。冷媒が潤滑油へ溶解することによる冷凍サイクル装置を循環する冷媒量の低下を抑制することができるため、冷凍サイクル装置の安定的な運転に必要な冷媒量を削減することができる。
【００４１】
室外温度が比較的低い場合（たとえば冬季）において、蓄熱材１０の温度が蒸発器として機能する熱交換器から流出する冷媒の温度よりも低くなり得る。そのような場合に冷媒が蓄熱材１０を通過すると、冷媒が蓄熱材１０によって冷却される。蓄熱材１０の温度によっては、冷媒が凝縮して液体の冷媒（液冷媒）となる可能性がある。液冷媒が圧縮機１に吸入されると、圧縮機１の性能が低下するとともに故障の可能性が高まる。冷凍サイクル装置１００においては、そのような場合（図７のＳ１０１においてＮＯ）、蓄熱材１０を経由せずに圧縮機１に冷媒を戻すことができる。その結果、圧縮機１の性能低下を抑制することができる。
【００４２】
蓄熱材が覆う圧縮機１の側面は、たとえば図１０に示される蓄熱材１０Ａのように、発熱量が多い圧縮機１内のモータの周囲の側面部分に限定されてもよい。また、蓄熱材が覆う圧縮機１の側面は、図１１に示される蓄熱材１０Ｂのように、流路ＦＰ２からの冷媒を圧縮機１の吸入口Ｐｓに導く流路の周囲の部分に限定されていてもよい。このように蓄熱材の形成される側面を限定することにより、蓄熱材のコストを削減することができる。
【００４３】
実施の形態１に係る冷凍サイクル装置に使用される冷媒は、圧縮機に吸入される冷媒の過熱度が大きいほど冷凍サイクル装置の理論ＣＯＰ（Coefficient  of  Performance）が大きいという特性が失われない程度に、Ｒ２９０以外の冷媒を含んでいてもよい。
【００４４】
実施の形態１においては、１つの室外機と１つの室内機とを備える冷凍サイクル装置について説明した。冷凍サイクル装置は、複数の室内機を備える構成であってもよいし、複数の室外機を備える構成でもよい。
【００４５】
実施の形態１においては冷房運転および暖房運転が切替可能なルームエアコンあるいはパッケージエアコンのような冷凍サイクル装置について説明した。冷凍サイクル装置は、四方弁のような流路切替弁を含まない、冷凍機のような冷却運転専用の構成であってもよい。
【００４６】
以上、実施の形態１に係る冷凍サイクル装置によれば、ＧＷＰを低減しながら、冷凍サイクル装置の性能低下を抑制することができる。
【００４７】
実施の形態２．
実施の形態２においては、内部熱交換器（第３熱交換器）を備える冷凍サイクル装置について説明する。内部熱交換器においては、冷房運転が行われている場合に、圧縮機から吐出された後、膨張弁による減圧が行なわれる前の冷媒（高圧側冷媒）と、膨張弁による減圧が行なわれた後、圧縮機に吸入されるまでの冷媒（低圧側冷媒）との間で熱交換が行なわれる。実施の形態２においては、冷房運転が行われている場合に、内部熱交換器による冷媒の加熱および蓄熱材による冷媒の加熱のうち、圧縮機に吸入される冷媒の過熱度をより上昇させることができる方が選択される。
【００４８】
図１２は、実施の形態２に係る冷凍サイクル装置２００の構成を示す機能ブロック図である。冷凍サイクル装置２００の構成は、図１の冷凍サイクル装置１００に内部熱交換器５１と、温度センサ１９が追加されているとともに、制御装置９０が９２に置き換えられている点である。これら以外は同様であるため、説明を繰り返さない。
【００４９】
図１２に示されるように、内部熱交換器５１は、流路ＦＰ１と圧縮機１の吸入口Ｐｓとの間に接続されているとともに、室外熱交換器３と電磁膨張弁３１との間に接続されている。制御装置９２は、内部熱交換器５１と電磁膨張弁３１との間を流れる冷媒の温度Ｔ１９を温度センサ１９から取得する。冷房運転が行なわれている場合、内部熱交換器５１において、凝縮器として機能する室外熱交換器３からの高圧側冷媒と、流路ＦＰ１からの低圧側冷媒との間で熱交換が行なわれ、低圧側冷媒が高圧側冷媒によって加熱される。
【００５０】
図１３は、図１２の制御装置９２によって冷房運転において行なわれる流路切換部２０に対する処理の流れを示すフローチャートである。図１３に示される処理は、冷凍サイクル装置２００の統合的な制御を行なう不図示のメインルーチンによって一定時間間隔毎に呼び出される。図１３に示されるフローチャートは、図７に示されるフローチャートのＳ１０１がＳ２０１に置き換えられたフローチャートである。なお、暖房運転においては図７に示される処理が行われる。
【００５１】
図１３に示されるように、制御装置９２は、Ｓ２０１において、温度Ｔ１４が基準温度Ｔｒ１以上であり、かつ、温度Ｔ１１とＴ１９との差が基準値Ｔｄｒ２以下であるという条件（特定条件）が成立するか否かを判定する。温度Ｔ１１とＴ１９との差が基準値Ｔｄｒ２以下であるという条件は、内部熱交換器５１における熱交換量が基準量よりも小さいことを示す条件である。基準値Ｔｄｒ２は、実機実験あるいはシミュレーションによって適宜算出される。
【００５２】
温度Ｔ１４が基準温度Ｔｒ１より小さいか、または、温度Ｔ１１とＴ１９との差が基準値Ｔｄｒ２より大きい場合（Ｓ２０１においてＮＯ）、制御装置９２は、実施の形態１と同様にＳ１０２を行なって処理をメインルーチンに返す。温度Ｔ１４が基準温度Ｔｒ１以上であり、かつ、温度Ｔ１１とＴ１９との差が基準値Ｔｄｒ２以下である場合（Ｓ２０１においてＹＥＳ）、制御装置９２は、実施の形態１と同様にＳ１０３を行なって処理をメインルーチンに返す。なお、Ｓ２０１においては、温度Ｔ１４が基準温度Ｔｒ１以上であるか、または、温度Ｔ１１とＴ１９との差が基準値Ｔｄｒ２以下であるという条件が判定されてもよい。
【００５３】
実施の形態２の変形例．
実施の形態２においては、内部熱交換器５１における熱交換量が基準量よりも小さいか否かを温度差と基準値Ｔｄｒ２との比較によって行なう場合について説明した。内部熱交換器５１における熱交換量の指標となる温度差は、冷凍サイクル装置２００の動作環境（たとえば室外温度Ｔ１３）によって変化し得る。実施の形態２においては、内部熱交換器５１における熱交換量が基準量よりも小さいか否かの判定精度が、冷凍サイクル装置２００の動作環境の影響を受け易い。
【００５４】
そこで、実施の形態２の変形例においては、内部熱交換器５１における熱交換量が基準量よりも小さいか否かを、冷凍サイクル装置２００の動作環境の変化によって変化し難い温度比率あるいはエンタルピ比率を用いて判定する。実施の形態２の変形例に係る冷凍サイクル装置によれば、冷凍サイクル装置の動作環境によらず、内部熱交換器５１における熱交換量が基準量よりも小さいか否かの判定精度を維持することができる。
【００５５】
実施の形態２の変形例に係る冷凍サイクル装置の構成は、図１３のＳ２０１のＴ１１−Ｔ１９≦Ｔｄｒ２という条件が温度比率に関する条件あるいはエンタルピ比率に関する条件に変更された構成である。それ以外は同様であるため、以下では図１３の冷凍サイクル装置２００も適宜参照しながら説明する。
【００５６】
図１４は、実施の形態２の変形例に係る冷凍サイクル装置において冷房運転が行なわれている場合のエンタルピ、圧力、および温度の関係を示すｐ−ｈ線図である。状態Ｃ２１からＣ２２の過程は、圧縮機１による断熱圧縮過程を示す。状態Ｃ２２からＣ２５への過程は、室外熱交換器３による凝縮過程を表す。状態Ｃ２５からＣ２６への過程は、電磁膨張弁３１による減圧過程を表す。状態Ｃ２６からＣ２１への過程は、室内熱交換器４による蒸発過程を表す。図１４においては、室外温度Ｔ１３の等温線が示されている。
【００５７】
図１４に示されるように、凝縮過程の状態Ｃ２３の温度は、温度センサ１２によって検出される温度Ｔ１２である。単一冷媒のＲ２９０の気液二相状態における温度はほぼ一定であるため、飽和液線上にある凝縮過程の状態Ｃ２４の温度（飽和液の温度）は状態Ｃ２３と同じ温度Ｔ１２である。状態Ｃ２５の温度は、温度センサ１９によって検出される温度Ｔ１９である。
【００５８】
以下では、温度比率ΔＴを、温度Ｔ１２（第１温度）および室外温度Ｔ１３の温度差ΔＴ１に対する温度Ｔ１２および温度Ｔ１９の温度差Δ２の比率とする。すなわち、ΔＴ＝ΔＴ２／ΔＴ１である。また、エンタルピ比率Δｈを、飽和液の状態Ｃ２４のエンタルピｈ１２（第１エンタルピ）および室外温度Ｔ１３における液冷媒のエンタルピｈ１３（第２エンタルピ）のエンタルピ差Δｈ１に対するエンタルピｈ２４および状態Ｃ２５のエンタルピｈ１９（第３エンタルピ）のエンタルピ差Δｈ２の比率であるとする。すなわち、Δｈ＝Δｈ２／Δｈ１である。
【００５９】
冷凍サイクル装置の動作環境が変化した場合、温度差ΔＴ１およびΔＴ２の双方が同程度の割合で変化することが多い。温度比率ΔＴの分母および分子の双方が同程度の割合で変化する場合、温度比率ΔＴはほとんど変化しない。エンタルピ比率に関しても同様である。
【００６０】
実施の形態２の変形例に係る冷凍サイクル装置においては、図１３のＳ２０１のＴ１１−Ｔ１９≦Ｔｄｒ２という条件が、基準比率Ｒｒ１およびＲｒ２を用いて、ΔＴ≧Ｒｒ１あるいはΔｈ≧Ｒｒ２という条件に置き換えられる。温度比率あるいはエンタルピ比率が予め定められた基準比率（たとえば０．８）と比較されることにより、冷凍サイクル装置の動作環境によらず、内部熱交換器５１における熱交換量が基準量よりも小さいか否かの判定精度を維持することができる。基準比率Ｒｒ１およびＲｒ２は、実機実験あるいはシミュレーションによって適宜算出される。基準比率Ｒｒ１およびＲｒ２は、同じでもよい。
【００６１】
以上、実施の形態２および変形例１に係る冷凍サイクル装置によれば、冷房運転において蓄熱材による加熱が行うことができない場合でも、内部熱交換器によって圧縮機に吸入される冷媒の過熱度を上昇させることができる。その結果、ＧＷＰを低減しながら、冷凍サイクル装置の性能低下を実施の形態１よりもさらに抑制することができる。
【００６２】
実施の形態３．
実施の形態２においては、冷房運転が行われている場合に、内部熱交換器による冷媒の加熱および蓄熱材による冷媒の加熱のうち、圧縮機に吸入される冷媒の過熱度をより上昇させることができる方が選択される場合について説明した。実施の形態３においては、暖房運転においても、内部熱交換器による冷媒の加熱および蓄熱材による冷媒の加熱のうち、圧縮機に吸入される冷媒の過熱度をより上昇させることができる方が選択される場合について説明する。
【００６３】
図１５は、実施の形態３に係る冷凍サイクル装置３００の構成を示す機能ブロック図である。冷凍サイクル装置３００の構成は、図１２の冷凍サイクル装置２００に電磁膨張弁３２（第２減圧装置）および温度センサ１９Ａが追加されているとともに、制御装置９２が９３に置き換えられた構成である。これら以外は同様であるため、説明を繰り返さない。
【００６４】
図１５に示されるように、電磁膨張弁３２は、室外熱交換器３と内部熱交換器５１との間に接続されている。制御装置９３は、電磁膨張弁３２と内部熱交換器５１との間を流れる冷媒の温度Ｔ１９Ａを温度センサ１９Ａから取得する。制御装置９３は、冷房運転においては冷媒の減圧を行なわない電磁膨張弁３２を全開とし、電磁膨張弁３１の開度を制御する。制御装置９３は、暖房運転においては冷媒の減圧を行なわない電磁膨張弁３１を全開とし、電磁膨張弁３２の開度を制御する。
【００６５】
図１６は、図１５の制御装置９３によって暖房運転において行なわれる流路切換部２０に対する処理の流れを示すフローチャートである。図１６に示されるフローチャートは、図１３のＳ２０１がＳ３０１に置き換えられたフローチャートである。なお、冷房運転においては図１３に示される処理が行われる。
【００６６】
図１６に示されるように、制御装置９３は、Ｓ３０１において、温度Ｔ１４が基準温度Ｔｒ１以上であり、かつ、温度Ｔ１６とＴ１９Ａとの差が基準値Ｔｄｒ３以下であるという条件（特定条件）が成立するか否かを判定する。温度Ｔ１６とＴ１９Ａとの差が基準値Ｔｄｒ３以下であるという条件は、内部熱交換器５１における熱交換量が基準量よりも小さいことを示す条件である。基準値Ｔｄｒ３は、実機実験あるいはシミュレーションによって適宜算出することができる。
【００６７】
温度Ｔ１４が基準温度Ｔｒ１より小さいか、または、温度Ｔ１６とＴ１９Ａとの差が基準値Ｔｄｒ３より大きい場合（Ｓ３０１においてＮＯ）、制御装置９３は、実施の形態１と同様にＳ１０２を行なって処理をメインルーチンに返す。温度Ｔ１４が基準温度Ｔｒ１以上であり、かつ、温度Ｔ１６とＴ１９Ａとの差が基準値Ｔｄｒ３以下である場合（Ｓ３０１においてＹＥＳ）、制御装置９３は、実施の形態１と同様にＳ１０３を行なって処理をメインルーチンに返す。
【００６８】
なお、Ｓ３０１においては、温度Ｔ１４が基準温度Ｔｒ１以上であるか、または、温度Ｔ１６とＴ１９Ａとの差が基準値Ｔｄｒ３以下であるという条件が判定されてもよい。また、Ｓ３０１においては、実施の形態２の変形例と同様に、温度比率に関する条件あるいはエンタルピ比率に関する条件が用いられてもよい。その場合、実施の形態２の変形例の温度Ｔ１２、Ｔ１３、およびＴ１９が、それぞれ温度Ｔ１７、Ｔ１８、およびＴ１９Ａにそれぞれ置き換えられる。
【００６９】
実施の形態３の変形例１．
実施の形態３の変形例１においては、２つの電磁膨張弁の各々に並列に逆止弁を接続することにより、圧力損失が低減される構成について説明する。
【００７０】
図１７は、実施の形態３の変形例１に係る冷凍サイクル装置３００Ａの構成を示す機能ブロック図である。冷凍サイクル装置３００Ａの構成は、図１５の冷凍サイクル装置３００に逆止弁６１および６２が追加されているとともに、制御装置９３が９３Ａに置き換えられた構成である。これら以外は同様であるため、説明を繰り返さない。
【００７１】
図１７に示されるように、逆止弁６１は、室内熱交換器４と内部熱交換器５１との間において電磁膨張弁３１に対して並列に接続されている。逆止弁６１の順方向は、室内熱交換器４から内部熱交換器５１に向かう方向である。逆止弁６１の順方向に冷媒が流れる場合の圧力損失は、全開の電磁膨張弁３１を冷媒が流れる場合の圧力損失よりも小さい。
【００７２】
逆止弁６２は、室外熱交換器３と内部熱交換器５１との間において電磁膨張弁３２に対して並列に接続されている。逆止弁６２の順方向は、室外熱交換器３から内部熱交換器５１へ向かう方向である。逆止弁６２の順方向に冷媒が流れる場合の圧力損失は、全開の電磁膨張弁３２を冷媒が流れる場合の圧力損失よりも小さい。
【００７３】
冷房運転において制御装置９３Ａは、電磁膨張弁３２を閉止する。冷房運転において、室外熱交換器３からの冷媒は、逆止弁６２、内部熱交換器５１、および電磁膨張弁３１の順に通過する。暖房運転において制御装置９３Ａは、電磁膨張弁３１を閉止する。暖房運転において、室内熱交換器４からの冷媒は、逆止弁６１、内部熱交換器５１、および電磁膨張弁３２の順に通過する。
【００７４】
冷凍サイクル装置３００Ａにおいては、冷媒の減圧を行なわない電磁膨張弁を閉止して、圧力損失がより小さい逆止弁を冷媒が通過するように流路を形成することにより、冷凍サイクル装置３００よりも電磁膨張弁の圧力損失による性能低下を抑制することができる。ユーザは、２つの逆止弁の追加することによるコストの上昇および性能の向上を考慮して、冷凍サイクル装置３００および３００Ａを適宜選択することができる。
【００７５】
実施の形態３の変形例２．
実施の形態３および変形例１においては、内部熱交換器５１において、凝縮器として機能する熱交換器からの高圧側冷媒と、流路ＦＰ１からの低圧側冷媒との間で熱交換が行なわれる場合について説明した。実施の形態３の変形例２においては、高圧側冷媒が圧縮機１から吐出された冷媒である場合について説明する。
【００７６】
図１８は、実施の形態３の変形例２に係る冷凍サイクル装置３００Ｂの構成を示す機能ブロック図である。冷凍サイクル装置３００Ｂの構成は、図１２の内部熱交換器５１および温度センサ１９に替えて内部熱交換器５１Ｂおよび温度センサ１９Ｂが追加され、制御装置９２が９３Ｂに置き換えられ、温度センサ１１Ｂおよび電磁膨張弁３２Ｂが追加された構成である。これら以外は同様であるため、説明を繰り返さない。
【００７７】
図１８に示されるように、内部熱交換器５１Ｂは、流路ＦＰ１と圧縮機１の吸入口Ｐｓとの間に接続されている。内部熱交換器５１Ｂおよび電磁膨張弁３２Ｂは、圧縮機１の吐出口Ｐｄと、室外熱交換器３および電磁膨張弁３１の間の流路との間においてこの順に直列に接続されている。内部熱交換器５１Ｂにおいては、圧縮機１から吐出された高圧側冷媒と、流路ＦＰ１からの低圧側冷媒との間で熱交換が行なわれ、低圧側冷媒が高圧側冷媒によって加熱される。
【００７８】
制御装置９３Ｂは、電磁膨張弁３２Ｂの開度を制御する。制御装置９３Ｂは、内部熱交換器５１Ｂと電磁膨張弁３２Ｂとの間を流れる冷媒の温度Ｔ１９Ｂを温度センサ１９Ｂから取得する。制御装置９３Ｂは、圧縮機１の吐出口Ｐｄを通過する冷媒の温度Ｔ１１Ｂを温度センサ１１Ｂから取得する。
【００７９】
制御装置９３Ｂによって冷房運転および暖房運転において行なわれる流路切換部２０に対する処理の流れは、図１３の温度Ｔ１１、Ｔ１９および基準値Ｔｄｒ２が、温度Ｔ１１Ｂ、Ｔ１９Ｂおよび基準値Ｔｄｒ４にそれぞれ置き換えられた構成である。基準値Ｔｄｒ４は、実機実験あるいはシミュレーションによって適宜決定される。基準値Ｔｄｒ４は、基準値Ｔｄｒ２と同じでもよい。
【００８０】
以上、実施の形態３、変形例１および２に係る冷凍サイクル装置によれば、冷房運転および暖房運転の双方において、蓄熱材による加熱が行うことができない場合でも、内部熱交換器によって圧縮機に吸入される冷媒の過熱度を上昇させることができる。その結果、ＧＷＰを低減しながら、冷凍サイクル装置の性能低下を実施の形態２よりもさらに抑制することができる。
【００８１】
今回開示された各実施の形態は、矛盾しない範囲で適宜組み合わせて実施することも予定されている。今回開示された各実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００８２】
１  圧縮機、２  四方弁、３  室外熱交換器、４  室内熱交換器、１０，１０Ａ，１０Ｂ  蓄熱材、１１〜１９，１１Ｂ，１９Ａ，１９Ｂ  温度センサ、２０，２０Ａ  流路切替部、２１，２２  電磁開閉弁、２１Ａ，２２Ａ，３１，３２，３２Ｂ  電磁膨張弁、４１  室外ファン、４２  室内ファン、５１，５１Ｂ  内部熱交換器、６１，６２  逆止弁、９０，９２，９３，９３Ａ，９３Ｂ  制御装置、１００，２００，３００，３００Ａ，３００Ｂ  冷凍サイクル装置、１１０  室外機、１２０  室内機、ＦＰ１，ＦＰ２  流路、Ｐｄ  吐出口、Ｐｓ  吸入口。
【図１】
0006972422.tif 000002
【図２】
0006972422.tif 000003
【図３】
0006972422.tif 000004
【図４】
0006972422.tif 000005
【図５】
0006972422.tif 000006
【図６】
0006972422.tif 000007
【図７】
0006972422.tif 000008
【図８】
0006972422.tif 000009
【図９】
0006972422.tif 000010
【図１０】
0006972422.tif 000011
【図１１】
0006972422.tif 000012
【図１２】
0006972422.tif 000013
【図１３】
0006972422.tif 000014
【図１４】
0006972422.tif 000015
【図１５】
0006972422.tif 000016
【図１６】
0006972422.tif 000017
【図１７】
0006972422.tif 000018
【図１８】
0006972422.tif 000019